(57)【要約】【課題】外装材を釘やビス等で傷付けることなく機能部材を外壁に取り付けることができる外壁構造を提供することを課題とする。【解決手段】外装下地に取付具４が固定される。取付具４に掛止により機能部材を取り付け可能な取付部７が設けられる。取付部７が隣り合う外装材１の間の目地２に配置される。【選択図】図１
2013002180.tif 000002
【特許請求の範囲】
【請求項１】
外装下地に取付具が固定され、この取付具に掛止により機能部材を取り付け可能な取付部が設けられ、この取付部が隣り合う外装材の間の目地に配置されることを特徴とする外壁構造。
【請求項２】
前記取付具は前記取付部の屋内側端部の両側から前記外装材の面方向に突出して前記外装下地に固定される被固定部を有し、前記各被固定部が前記目地の両側の外装材のうち対応する外装材の屋内側に配置され、前記各被固定部とこれに対応する前記外装材の間がシール材で水密にされることを特徴とする請求項１に記載の外壁構造。
【請求項３】
前記取付部に前記機能部材を掛止するための屋内外方向に貫通する掛止孔が形成され、前記各被固定部と前記外装下地の間がシール部材で水密にされることを特徴とする請求項２に記載の外壁構造。
【請求項４】
前記シール部材が前記両側の被固定部に跨って、前記取付部の屋内側に配置されることを特徴とする請求項３に記載の外壁構造。
【請求項５】
前記取付部は長尺であって、この取付部に当該取付部の長手方向に延びる電線用通路が形成されたことを特徴とする請求項１乃至４のいずれか一項に記載の外壁構造。
【請求項６】
前記目地に前記外装材に模した外観を有して当該目地を隠すカバーが設けられたことを特徴とする請求項１乃至５のいずれか一項に記載の外壁構造。
【発明の詳細な説明】
【技術分野】
【０００１】
本発明は、建物の外壁構造に関する。
【背景技術】
【０００２】
建物の周囲には、外観を向上するために、デザイン性の高い格子や外壁照明が設けられる場合がある。なお、特許文献１にはサイディング材を固定具を用いて内壁材に取り付けた外壁構造が開示されている。
【先行技術文献】
【特許文献】
【０００３】
【特許文献１】特開２００１−３１７１８３号公報
【発明の概要】
【発明が解決しようとする課題】
【０００４】
ところで、格子や外壁照明等の機能部材を建物の周囲に設置するにあたって、機能部材を建物の外壁に固定することが考えられる。しかし、一般的な外装材は前記機能部材を取り付けるための機能を有していない。このため、機能部材を外壁に固定するには、例えば機能部材を取り付けるための釘やねじを外装材を介して外装下地に打ち込む等する必要がある。しかし、このようにすると、前記釘やねじにより外装材が傷付くため、機能部材を取り外したときに外装材を補修する必要がある。また、外装材において釘やねじを打ち込んだ箇所から雨水が浸入する恐れがあるため、別途これを防止する対策が必要になる。
【０００５】
本発明は上記事情に鑑みてなされたものであって、外装材を釘やビス等で傷付けることなく機能部材を外壁に取り付けることができる外壁構造を提供することを課題とする。
【課題を解決するための手段】
【０００６】
上記課題を解決するために本発明の外壁構造は、外装下地に取付具が固定され、この取付具に掛止により機能部材を取り付け可能な取付部が設けられ、この取付部が隣り合う外装材の間の目地に配置されることを特徴とする。
【０００７】
また、前記取付具は前記取付部の屋内側端部の両側から前記外装材の面方向に突出して前記外装下地に固定される被固定部を有し、前記各被固定部が前記目地の両側の外装材のうち対応する外装材の屋内側に配置され、前記各被固定部とこれに対応する前記外装材の間がシール材で水密にされることが好ましい。
【０００８】
また、前記取付部に前記機能部材を掛止するための屋内外方向に貫通する掛止孔が形成され、前記各被固定部と前記外装下地の間がシール部材で水密にされることが好ましい。
【０００９】
また、前記シール部材が前記両側の被固定部に跨って、前記取付部の屋内側に配置されることが好ましい。
【００１０】
また、前記取付部は長尺であって、この取付部に当該取付部の長手方向に延びる電線用通路が形成されることが好ましい。
【００１１】
また、前記目地に前記外装材に模した外観を有して当該目地を隠すカバーが設けられることが好ましい。
【発明の効果】
【００１２】
本発明にあっては、外装材を釘やビス等で傷付けることなく、機能部材を外壁に取り付けることができる。
【図面の簡単な説明】
【００１３】
【図１】本実施形態の外壁構造の要部を示す斜視図である。
【図２】外壁構造の斜視図である。
【図３】図２のａ１部分の拡大図である。
【図４】機能部材に設けられる被掛止具の斜視図である。
【発明を実施するための形態】
【００１４】
以下、本発明を添付図面に基づいて説明する。図１乃至図３に示す本実施形態の建物の外壁構造は、外壁にはない機能や外観を有する機能部材を外壁に取り付けられるようにしたものである。前記機能部材としては、収納具、デザイン性に優れた格子、収納式の物干し機、外壁を演出する照明装置、ガーデニングに用いられる用具、折り畳み式の縁側等が挙げられる。
【００１５】
図２に示す本実施形態の外壁構造では、外装下地が、建物躯体に間隔を介して複数設けられた縦胴縁３で構成されている。
【００１６】
各縦胴縁３の幅方向中央部には、機能部材を取付可能な取付具４が取り付けられている。各取付具４は縦胴縁３と平行な縦長の部材である。各取付具４は、金属製（詳しくはステンレス製）の板金を図１のように平面視で屋内側に開口するハット状に折曲加工したものであり、長尺な取付部７と、取付部７の屋内側の端部から両外側方（外装材１の面方向）に向かって突出する被固定部８で構成されている。両側の被固定部８は共に取付部７の長手方向の全長に亘って形成されている。
【００１７】
各取付具４の両側の被固定部８は屋内側シール部材６を介して縦胴縁３の屋外側の面に沿って配置されている。図２に示すように各被固定部８の上下方向の複数箇所には孔２９が設けられており、各孔２９に屋外側からビスや釘などの固着具を通して縦胴縁３に固着することにより、各取付具４は縦胴縁３に取り付けられている。
【００１８】
図１に示すように取付部７は屋内側に開口する溝形に形成されている。取付部７の屋外側部分を構成する前面部には、機能部材を掛止可能な掛止孔９（図２、図３参照）が等間隔で上下方向に複数形成されている。
【００１９】
屋内側シール部材６は、材質が発泡ＥＰＤＭ（エチレン−プロピレン−ジエンゴム）であって乾式であり、取付具４と略同じ長さのシート状に形成されている。屋内側シール部材６は、両側の被固定部８に跨って各被固定部８と縦胴縁３の間に配置されており、屋内側シール部材６の幅方向中央部は両側部分と同様に縦胴縁３の屋外側の面に沿い、取付部７の屋内側に位置している。
【００２０】
屋内側シール部材６の両側部分は、対応する被固定部８と縦胴縁３によって屋内外方向に挟持され、この屋内側シール部材６によって各被固定部８と縦胴縁３の間が取付具４の全長に亘って水密にされている。また、溝形の取付部７の内側に形成された屋内側に開口する溝部は電線を通すための電線用通路１３となっている。
【００２１】
図２に示すように、各縦胴縁３の取付具４の両側に位置する箇所には、外装材固定具１４が一定のピッチで上下方向に複数取り付けられている。各外装材固定具１４は、外装材１の下端部が嵌め込まれる下嵌込部分と外装材１の上端部が嵌め込まれる上嵌込部分を有している。
【００２２】
各外装材１は横長矩形板状のサイディングであり、前記複数の縦胴縁３で構成された外装下地の屋外側に横張りで縦横に並べて取り付けられている。各外装材１は、複数の外装材固定具１４を介して外装下地に取り付けられている。すなわち、外装材１下端部の両側端部は対応する外装材固定具１４の下嵌込部に嵌め込んで支持され、外装材１上端部の両側端部は対応する外装材固定具１４の上嵌込部に嵌め込まれ、これにより各外装材１は外装下地に取り付けられている。
【００２３】
このように取り付けられた外装材１のうち、横方向に並べて設けられた外装材１の間には目地２（図１参照）が形成されている。本実施形態では、横方向に隣り合う外装材１間の目地２と、当該目地２の上段において横方向に隣り合う外装材１間の目地２とが連続して、上下複数段の外装材１に亘る一直線状の縦目地１８が形成されている。
【００２４】
図１のように、各縦目地１８には、対応する取付具４の屋外側に突出した取付部７が配置されており、取付部７は縦目地１８の全長に亘っている。取付具４の各被固定部８は、目地２両側の外装材１のうち、対応する外装材１の側端部と縦胴縁３の間に配置されている。
【００２５】
各外装材１の屋内側を向く背面の側縁部には、屋内側及び目地２側に開口する段部１５が上下全長に亘って形成されており、各段部１５には材質が発泡ＥＰＤＭである乾式のシール材５が全長に亘って配置されている。各シール材５は、外装材１と被固定部８の側端部とで屋内外方向に挟持され、これによって各被固定部８と対応する外装材１の間が上下方向の全長に亘ってシール材５で水密にされている。なお、このシール材５は上下複数段の外装材１に亘るものであるが、外装材１毎に設けられるものであってもよい。
【００２６】
取付具４が配置された各縦目地１８の屋外側部分には、屋外側シール部材２５を介してカバー２６が全長に亘って配置されている。
【００２７】
屋外側シール部材２５は、材質が対候性を有する熱可塑性エラストマー(ＴＰＥ)である。屋外側シール部材２５は、縦目地１８よりも幅が広いシート状に形成されており、取付具４の屋外側を覆っている。屋外側シール部材２５は、幅方向の中央部が取付部７の前面に当接して各掛止孔９を塞ぎ、また、両側端部が対応する外装材１の側端面に屈曲した状態で当接している。
【００２８】
カバー２６は屋外側から縦目地１８の屋外側端部に嵌め付けることにより固定され、目地２及び目地２に配置された屋外側シール部材２５を覆っている。カバー２６の両側には屋内側に突出する突条２７が形成されている。両側の突条２７と取付具４の取付部７によって屋外側シール部材２５は挟持され、これによりカバー２６と両側の外装材１の間から浸入した雨水が取付具４側に至ることが防止されている。
【００２９】
カバー２６は取付具４や屋外側シール部材２５が配された縦目地１８の全体を覆っている。カバー２６の屋外側の面は両側の外装材１の屋外側の面と面一となっている。また、カバー２６の屋外側の面には、対候性の優れた塗料を塗布して両側の外装材１と色調や柄等を合わせた塗装を施してあり、これにより外装材１に模した外観になっている。
【００３０】
上記本実施形態の外壁構造にあっては、任意のカバー２６及びこの屋内側の屋外側シール部材２５を取り外して取付具４の取付部７を屋外側に露出させることで、外装材１の屋外側に配置される機能部材に設けられた図４に示す被掛止具１９が取付可能になる。
【００３１】
被掛止具１９は、ビス等を用いて機能部材本体に取り付けられる板状の被取付部２０と、被取付部２０から屋内側に突出する筒状の被掛止部２１を備えている。被掛止部２１の先部には短円筒状の膨大部２２が形成されており、被掛止部２１の膨大部２２よりも根元側には膨大部２２よりも外径が小さい筒状のくびれ部２３が形成されている。
【００３２】
被掛止部２１は前記屋外側に露出させた取付部７の任意の掛止孔９に掛止することができる。前記各取付具４の各掛止孔９は、図３に示すように円形の挿通用孔部１０と、挿通用孔部１０から下方に延びて挿通用孔部１０よりも孔幅の小さい掛止用孔部１１とで構成されただるま孔である。
【００３３】
挿通用孔部１０は被掛止具１９の膨大部２２よりも大径であり、膨大部２２を通過させることができる。また、掛止用孔部１１の幅は膨大部２２の外径よりも小さく且つくびれ部２３の外径よりも大きくなっており、膨大部２２は通過できないが、くびれ部２３は通過できるようになっている。
【００３４】
被掛止部２１を取付部７の掛止孔９に掛止するには、膨大部２２を屋外側から挿通用孔部１０を通して取付部７内に挿入し、続いて被掛止具１９を下方に移動し、膨大部２２を掛止用孔部１１の縁部屋外側に係止する。これにより、被掛止具１９は、下方及び横方向の移動が規制された状態で掛止により取付部７に取り付けられる。このように被掛止具１９を取付部７に取り付けることで、機能部材は取付具４に取り付けられる。
【００３５】
図４に示す被掛止具１９の筒状に形成された被掛止部２１の内側の孔２８は、被取付部２０に形成した図示しない連通孔を介して被取付部２０の屋外側に開口している。このため、被掛止部２１を取付部７の掛止孔９に掛止して機能部材を取付具４に取り付けた場合、取付具４の電線用通路１３に通した電線を被掛止部２１の孔２８及び連通孔を介して機能部材本体に接続することができる。
【００３６】
以上説明した本実施形態の外壁構造では、外装下地に取付具４が固定され、取付具４に掛止により機能部材を取り付け可能な取付部７が設けられ、取付部７が隣り合う外装材１の間の目地２に配置される。このため、目地２に設けた取付具４の取付部７に機能部材を掛止して取り付けることができる。しかも、この場合、外装材１を釘やビス等で傷付けることなく機能部材を外壁に取り付けることができる。
【００３７】
また、取付具４は、取付部７の屋内側端部の両側から外装材１の面方向に突出して外装下地に固定される被固定部８を有し、各被固定部８が目地２の両側の外装材１のうち対応する外装材１の屋内側に配置されている。そして、各被固定部８とこれに対応する外装材１の間がシール材５で水密にされている。このため、シール材５により目地２に浸入した雨水が各被固定部８と対応する外装材１との間から屋内側に入り込むことを防止できる。
【００３８】
また、取付部７には、機能部材を掛止するための屋内外方向に貫通する掛止孔９を形成するだけで、機能部材を取り付けるための掛止部を設けることができる。また、各被固定部８と外装下地の間が屋内側シール部材６で水密にされているので、掛止孔９から浸入した雨水が各被固定部８と外装下地の間から屋内側に入り込むことを防止できる。
【００３９】
また、屋内側シール部材６は両側の被固定部８に跨って、取付部７の屋内側に配置されるため、掛止孔９から浸入した雨水が外装下地に至ることを屋内側シール部材６によって防止できる。
【００４０】
また、長尺な取付部７に当該取付部７の長手方向に延びる電線用通路１３が形成されているため、電線用通路１３に機能部材に接続される電線を通す等して電線を外壁の内部に仕舞い良く収めることができる。
【００４１】
また、本実施形態では、目地２に外装材１に模した外観を有して当該目地２を隠すカバー２６が設けられている。このため、機能部材を外壁に取り付けないときには、カバー２６により取付部７が設けられる目地２を隠して外観を向上させることができる。また、雨水が目地２に浸入することをカバー２６によっても防止できる。
【００４２】
なお、本実施形態では、外装下地を縦胴縁３で構成したが、これに限定されるものではなく、柱や面材等で構成してもかまわない。また、本実施形態の取付具４は外装下地において横方向に隣り合う外装材１の間に形成される縦目地１８に対応する箇所に設けられている。しかし、縦方向に隣り合う外装材１の間に形成される横目地に対応する箇所に設けられるものであってもよい。また、本実施形態の取付具４は縦方向の複数の外装材１に亘って設けられているが、縦方向において一枚の外装材１に対応する箇所にのみ設けられるものであってもよい。
【００４３】
また、取付部７には機能部材を掛止するための掛止部として掛止孔９を設けたが、これに限定されるものではなく、例えば機能部材に被掛止孔を設け、取付部７に被掛止孔が掛止される掛止部を設ける等してもよい。
【００４４】
また、両側の被固定部８と外装下地の間は、一枚の屋内側シール部材６で水密されるようにしたが、被固定部８毎に設けられた屋内側シール部材で水密にされるようにしても構わない。また、この他、本発明の主旨を逸脱しない範囲で適宜設計変更可能であることは言うまでもない。
【符号の説明】
【００４５】
１  外装材
２  目地
４  取付具
５  シール材
６  屋内側シール部材
７  取付部
８  被固定部
９  掛止孔
１３  電線用通路
２６  カバー
【図１】
2013002180.tif 000003
【図２】
2013002180.tif 000004
【図３】
2013002180.tif 000005
【図４】
2013002180.tif 000006